(57)【要約】　　　（修正有）【課題】一つの調理機器の調理動作が完了していないと、ほかの調理機器の動作のための信号に応答しないようにして、複数の調理機器の同時作動を防止するようにした複合調理機器を提供する。【解決手段】調理区域の共通電源を用いる複数の調理機器２００，３００と、前記複数の調理機器２００，３００に電源を個別に供給する電源部と、調理情報を受ける入力部５００と、前記入力部５００を通して入力された前記調理情報に応じて前記調理機器の一つのみを動作させるように前記電源部を制御する制御部４００とを含む。【選択図】　　　　図２
2004116986.tif 000002
【特許請求の範囲】
【請求項１】
調理区域内で使用するための複合調理機器において、
前記調理区域の共通電源を用いる複数の調理機器と、
前記複数の調理機器に電源を個別に供給する電源部と、
調理情報を受ける入力部と、
前記入力部を通して入力された前記調理情報に応じて前記調理機器の一つのみを動作させるように前記電源部を制御する制御部とを含んでなることを特徴とする複合調理機器。
【請求項２】
前記電源部は、前記電源と前記複数の調理機器間に直列に連結される複数のスイッチを含み、前記電源は動作する一つの調理機器に対応するスイッチを介して電源が供給されることを特徴とする請求項１に記載の複合調理機器。
【請求項３】
前記複合調理機器は、許容電流以上の電流が流れると、前記電源を遮断する遮断機をさらに含み、前記電源部は前記遮断機を通して供給された電源を当該調理機器に供給することを特徴とする請求項１に記載の複合調理機器。
【請求項４】
前記複数の調理機器は相違した調理機能をする調理機器であることを特徴とする請求項１に記載の複合調理機器。
【請求項５】
前記複数の調理機器は、電気レンジとコーヒーポットの組合せ、電子レンジとトースターの組合せ、電子レンジと電気オーブンの組合わせ、及び電子レンジと空気清浄器の組合せのなかで一組合せであることを特徴とする請求項４に記載の複合調理機器。
【請求項６】
前記制御部は、一つの調理機器の調理動作が完了していないと、ほかの調理機器を動作させるため、前記調理情報の調理命令に相応するキー信号に応答しないことを特徴とする請求項１に記載の複合調理機器。
【請求項７】
前記複合調理機器は壁掛け型複合調理機器であることを特徴とする請求項１に記載の複合調理機器。
【請求項８】
前記複合調理機器は、許容電流以上の電流が流れると、電源を遮断する遮断機をさらに含み、前記電源部は前記遮断機を通して供給された電源を当該調理機器に供給することを特徴とする請求項２に記載の複合調理機器。
【請求項９】
前記制御部は動作中の調理機器に対応するスイッチのみをオンさせて、ほかの調理機器が動作することを防止することを特徴とする請求項２に記載の複合調理機器。
【請求項１０】
複合調理機器を動作させるため電源を供給する単一の電源部と、
前記単一の電源部を共有する複数の調理機器と、
前記単一の電源部を制御し、前記複数の調理機器のいずれか一つの動作が完了していないと、ほかの調理機器を動作させるための信号に応答しないことにより前記複数の調理機器が同時に動作することを防止する制御部とを含んでなることを特徴とする複合調理機器。
【請求項１１】
前記複合調理機器は、
前記複合調理機器を動作させるため動作情報を受ける入力部と、
許容電流以上の電流が流れると電源を遮断する遮断機とを含み、
前記単一の電源部は前記遮断機を通して供給された電源を当該調理機器に供給することを特徴とする請求項１０に記載の複合調理機器。
【請求項１２】
前記単一の電源部は外部電源と前記調理機器間に直列に連結される複数のスイッチを含み、前記制御部は動作中の調理機器に対応するスイッチのみをオンさせて、ほかの調理機器が動作することを防止することを特徴とする請求項１０に記載の複合調理機器。
【請求項１３】
前記複数の調理機器は相違した調理機能をする調理機器であることを特徴とする請求項１０に記載の複合調理機器。
【請求項１４】
前記複合調理機器は壁掛け型複合調理機器であることを特徴とする請求項１０に記載の複合調理機器。
【請求項１５】
複合調理機器を動作させるため電源を供給する単一の電源部と、前記単一の電源部を共有する複数の調理機器と、前記単一の電源部を制御し、前記複数の調理機器が同時に動作することを防止する制御部とを有する複合調理機器の制御方法において、
前記複合調理機器を動作させるため調理情報を受ける段階と、
前記調理機器のいずれか一つの動作が完了していないと、前記一つの調理機器のみを動作させるため前記単一の電源部を制御する段階とを含んでなることを特徴とする複合調理機器の制御方法。
【請求項１６】
前記単一の電源部を制御する段階は、前記一つの調理機器の動作が完了していないと、ほかの調理機器を動作させるための信号に応答しないことからなることを特徴とする請求項１５に記載の複合調理機器の制御方法。
【請求項１７】
前記単一の電源部を制御する段階は、
前記受けた調理情報に応じて前記一つの調理機器が動作するかを判断する段階と、
残りの調理機器が前記電源を受けることを防止するとともに前記一つの調理機器に電源を供給する段階と、
前記ほかの調理機器を動作させるための信号を受けたかを判断する段階と、
前記一つの調理機器の動作が完了した後、前記ほかの調理機器を動作させる段階とからなることを特徴とする請求項１５に記載の複合調理機器の制御方法。
【請求項１８】
前記ほかの調理機器を動作させる段階は、前記ほかの調理機器の動作が完了するまで前記残りの調理機器が前記電源を受けることを防止するとともに前記ほかの調理機器に電源を供給することを含むことを特徴とする請求項１７に記載の複合調理機器の制御方法。
【発明の詳細な説明】
【０００１】
【発明の属する技術分野】
本発明は複数の調理機器が同時に作動することを防止する複合調理機器に関するものである。
【０００２】
【従来の技術】
一般に、複合調理機器は電子レンジにほかの調理機器が付加した形態として開発されている。例えば、その例としては、電子レンジとコーヒーポットの組合せ、電子レンジとトースターの組合せ、電子レンジと電気オーブンの組合せ、電子レンジと空気清浄器の組合せの形態がある。
【０００３】
図１は従来の複合調理機器を示す。この複合調理機器は、家庭内の遮断機１０に連結された、相違した機能の調理を行う第１調理機器（Ｌ１）２０及び第２調理機器（Ｌ２）３０を含む。前記複合調理機器のプラグ（図示せず）を家庭のコンセント（図示せず）に接続する場合、前記第１調理機器２０及び第２調理機器３０は遮断機１０を介して電源を受けるようになっており、使用者が入力部５０を通して入力した入力命令に応じて制御部４０の制御によって調理を行う。
【０００４】
家庭内の遮断機１０は、所定の許容電流（例えば、１５Ａ）を超えると、火災防止のために電源を遮断するように設計されている。
【０００５】
従来技術による複合調理機器において、調理機器２０、３０のいずれか一つの調理機器を単独で使用する場合は使用電力量が適正である。
【０００６】
しかし、従来技術によると、複数の調理機器を同時に作動させる場合、つまり第１調理機器２０及び第２調理機器３０が同時に作動する場合、使用電力量が高く要求されるため、許容電流以上の過度な電流が流れると、遮断機がオフして電源を遮断する。その後、調理を再開するため、使用者は遮断機を復旧し、調理機器を再作動させなければならない不便があった。
【０００７】
【発明が解決しようとする課題】
したがって、本発明はこのような問題点を解決するためになされたもので、その目的は、一つの調理機器の調理動作が完了していないと、ほかの調理機器の動作のための信号に応答しないようにして、複数の調理機器の同時作動を防止するようにした複合調理機器を提供することにある。
【０００８】
【課題を解決するための手段】
前記のような本発明の目的は、調理区域内で使用するための複合調理機器において、前記調理区域の共通電源を用いる複数の調理機器と、前記複数の調理機器に電源を個別に供給する電源部と、調理情報を受ける入力部と、前記入力部を通して入力された前記調理情報に応じて前記調理機器の一つのみを動作させるように前記電源部を制御する制御部とを含んでなる複合調理機器を提供することにより達成できる。
【０００９】
【発明の実施の形態】
以下、本発明の好ましい実施例を添付図面に基づいて詳細に説明する。
【００１０】
図２は本発明による複合調理機器のブロック図である。本発明による複合調理機器は、プラグをコンセントに接続すると、家庭内の遮断機１００を介して電源が供給される第１調理機器（Ｌ１）２００と第２調理機器（Ｌ２）３００を含む。前記第１調理機器２００及び第２調理機器３００は、電子レンジとコーヒーポット、電子レンジとトースター、電子レンジと電気オーブン、電子レンジと空気清浄器などのように構成することができる。
【００１１】
本発明は、前記第１調理機器２００及び第２調理機器３００の全般的な動作を制御する制御部４５０を含む。
【００１２】
また、本発明は、遮断機１００と各調理機器２００、３００との間に直列に連結され、前記制御部４５０の制御に応じて電源を供給又は遮断する第１スイッチＳＷ１及び第２スイッチＳＷ２を備える。
【００１３】
使用者が入力部５００を介して一つの調理機器の調理条件を設定すると、それによる入力命令が制御部４５０に入力される。これに応じて、前記制御部４５０は、複数の調理機器の同時作動を防止するため、第１及び第２スイッチＳＷ１、ＳＷ２を制御する。この際、制御部４５０は、いずれか一つの調理機器が作動しているうちには、ほかの調理機器が作動しないように、二つのスイッチＳＷ１、ＳＷ２のいずれか一つのみをオンさせる。
【００１４】
本実施例において、前記複合調理機器は二つの調理機器を有するものと説明するが、前記複合調理機器は二つ以上の調理機器／作動部から構成することができ、よって本発明の原理から逸脱しなくて多様な変形例を作り出すことができる。
【００１５】
図３は図２に示す本発明の複合調理機器の制御方法を示す。以下、本発明の方法を図２に基づいて説明する。
【００１６】
まず、使用者が調理しようとする調理機器と調理条件を入力部５００により設定する（７０）。よって、入力部５００から入力命令が制御部４５０に入力され、前記制御部４５０は入力命令を解釈し、設定された調理機器が第１調理機器２００であるかを判断し（７２）、その判断結果、第１調理機器２００であると、第１スイッチＳＷ１をオンさせ、設定調理条件にしたがって第１調理機器２００を制御して調理を行う（７４）。
【００１７】
第１調理機器２００の調理実行のうち、制御部４５０はキー信号が入力されるかを判断する（７６）。その判断結果、キー信号の入力がないと、段階７４に戻る。段階７６の判断結果、キー信号の入力がないと、第１調理機器２００の調理が完了したかを判断する（７８）。その判断結果、第１調理機器２００の調理が完了していないと、第１調理機器２００に対応するキー信号に応じて調理を行う。この際、制御部４５０は段階７６でのキー信号入力、つまり第２調理機器３００に対応するキー信号に応答しないため、第２スイッチＳＷ２はオフ状態を維持し、電源が第２調理機器３００に供給されない（８０）。
【００１８】
段階７８の判断結果、第１調理機器２００の調理が完了すると、前記制御部４５０は第１スイッチＳＷ１をオフさせる（８２）。
【００１９】
ついで、前記制御部４５０は、入力されたキー信号に応じて、第１調理機器２００及び第２調理機器３３０のいずれか一つの調理機器による調理を実行させる。この際、第１及び第２スイッチＳＷ１、ＳＷ２のうち、当該調理機器に対応するスイッチがオンして電源を供給する（８４）。
【００２０】
段階７２の判断結果、第１調理機器２００でないと、制御部４５０は設定された調理機器が第２調理機器３００であるかを判断する（８６）。その判断結果、第２調理機器３００でないと、調理機器及び調理条件を再設定するため、段階７０に戻る。
【００２１】
段階８６の判断結果、第２調理機器３００であると、制御部４５０は第２スイッチＳＷ２をオンさせ、設定された調理条件にしたがって第２調理機器３００を制御して調理を行う（８８）。
【００２２】
第２調理機器３００の調理実行のうち、制御部４５０はキー信号の入力があるかを判断し（９０）、その判断結果、キー信号の入力がないと、段階８８に戻る。段階９０の判断結果、キー信号の入力があると、第２調理機器３００の調理が完了したかを判断し（９２）、その判断結果、第２調理機器３００の調理が完了していない場合、第２調理機器３００に対応するキー信号に応じて調理を行う（９４）。この際、制御部４５０は段階９０でのキー信号入力、つまり第１調理機器２００に対応するキー信号に応答しないため、第１スイッチＳＷ１はオフ状態を維持し、電源が第１調理機器２００に供給されない。
【００２３】
段階９２の判断結果、第２調理機器３００の調理が完了する場合、前記制御部４５０は第２スイッチＳＷ２をオフする（９６）。ついで、段階８４に進行し、前記制御部４５０は入力されたキー信号に応じて第１及び第２調理機器２００、３００のいずれか一つの調理機器に対して調理を行わせる。
【００２４】
【発明の効果】
以上説明したように、本発明は、一つの調理機器の調理動作が完了しないと、ほかの調理機器に対応するキー信号に応答しなく、前記一つの調理機器にだけ電源を供給する。したがって、本発明は、複数の調理機器の同時作動が発生しないので、遮断機の不要な作動を防止することができ、これにより製品の信頼性を向上させることができる。
【図面の簡単な説明】
【図１】従来技術による複合調理機器のブロック図である。
【図２】本発明による複合調理機器のブロック図である。
【図３】図２の複合調理機器の制御方法を説明するフローチャートである。
【符号の説明】
１０、１００　遮断機
２０、２００　第１調理機器
３０、３００　第２調理機器
４０、４５０　制御部
５０、５００　入力部
【図１】
2004116986.tif 000003
【図２】
2004116986.tif 000004
【図３】
2004116986.tif 000005